(57)【要約】【課題】閲覧される可能性の高い画像データの登録処理を優先的に行う。【解決手段】本発明の画像管理サーバーは、ネットワークを介してユーザ端末に配信する画像データと判定用キーワードとを記憶する記憶部と、前記画像データの前記記憶部への登録処理を行う登録部と、画像データおよび該画像データの登録処理要求を受け付けると、前記登録を要求された画像データに関連するキーワードを抽出し、該抽出したキーワードが前記判定用キーワードとして前記記憶部に記憶されていない場合には、前記登録部に、前記画像データの登録処理を保留させる制御部と、を有する。【選択図】図１
2013250917.tif 000002
【特許請求の範囲】
【請求項１】
ネットワークを介してユーザ端末に配信する画像データと判定用キーワードとを記憶する記憶部と、
前記画像データの前記記憶部への登録処理を行う登録部と、
画像データおよび該画像データの登録処理要求を受け付けると、前記登録を要求された画像データに関連するキーワードを抽出し、該抽出したキーワードが前記判定用キーワードとして前記記憶部に記憶されていない場合には、前記登録部に、前記画像データの登録処理を保留させる制御部と、を有することを特徴とする画像管理サーバー。
【請求項２】
請求項１記載の画像管理サーバーにおいて、
前記制御部は、前記登録処理要求が、前記登録処理を保留した画像データの登録処理要求のみとなったときに、前記登録部に、前記登録処理を保留した画像データの登録処理を行わせることを特徴とする画像管理サーバー。
【請求項３】
請求項１または２記載の画像管理サーバーにおいて、
前記記憶部は、前記登録処理された画像データと該画像データに関連するキーワードとを対応付けて記憶し、
前記制御部は、前記ユーザ端末からキーワードを指定した検索要求が入力されると、該入力されたキーワードに対応して前記記憶部に記憶されている画像データを前記ユーザ端末に配信することを特徴とする画像管理サーバー。
【請求項４】
請求項３記載の画像管理サーバーにおいて、
前記記憶部は、前記検索要求において指定されたキーワード毎に、前記キーワードの指定回数を記憶し、該指定回数に応じた順位が上位Ｎ位以内のキーワードを前記判定用キーワードとして記憶することを特徴とする画像管理サーバー。
【請求項５】
請求項４記載の画像管理サーバーにおいて、
前記制御部は、前記登録処理要求の数が所定値以上となると、前記登録処理要求された画像データに関連するキーワードが前記判定用キーワードとして前記記憶部に記憶されており、かつ、前記キーワードの前記指定回数に応じた順位が、前記判定用キーワード内で、上位Ｍ（Ｍ＜Ｎ）位以内にある場合に、前記登録部に前記画像データの登録処理を行わせることを特徴とする画像管理サーバー。
【請求項６】
記憶部を有する画像管理サーバーの制御方法であって、
判定用キーワードを前記記憶部に記憶させ、
ネットワークを介して前記ユーザ端末に配信する画像データの前記記憶部への登録処理を行い、
画像データおよび該画像データの登録処理要求を受け付けると、前記登録を要求された画像データに関連するキーワードを抽出し、該抽出したキーワードを前記判定用キーワードとして記憶していない場合には、前記画像データの登録処理を保留することを特徴とする画像管理サーバーの制御方法。
【請求項７】
記憶部を有する画像管理サーバー内のコンピュータに、
判定用キーワードを前記記憶部に記憶させる第１の記憶処理と、
ネットワークを介して前記ユーザ端末に配信する画像データの前記記憶部への登録処理と、
画像データおよび該画像データの登録処理要求を受け付けると、前記登録を要求された画像データに関連するキーワードを抽出し、該抽出したキーワードを前記判定用キーワードとして記憶していない場合には、前記画像データの登録処理を保留する保留処理と、を実行させるプログラム。
【発明の詳細な説明】
【技術分野】
【０００１】
本発明は、ネットワークを介して画像データをユーザ端末へ配信する画像管理サーバー、画像管理サーバーの制御方法およびプログラムに関する。
【背景技術】
【０００２】
近年、ネットワークを介して静止画像あるいは動画像の画像データを配信し、静止画像あるいは動画像を閲覧可能とする画像管理システムが広く利用されている。このような画像管理システムにおいては、配信される画像データの登録処理を要求する登録処理要求が入力されると、その画像データの登録処理を行う画像管理サーバーが用いられる。
【０００３】
また、特許文献１（特開２０１０−０２０６３０号公報）には、画像管理サーバーが、登録処理が行われた画像データに対応させて、その画像データに関連するキーワードを記憶し、ユーザ端末からキーワードを指定した検索要求が入力されると、そのキーワードに対応する画像データを検索し、検索した画像データをユーザ端末に配信する技術が開示されている。
【先行技術文献】
【特許文献】
【０００４】
【特許文献１】特開２０１０−０２０６３０号公報
【発明の概要】
【発明が解決しようとする課題】
【０００５】
上述したような登録処理を行う画像管理サーバーにおいては、通常、画像データの登録処理要求が入力されると、登録処理要求の入力順に画像データの登録処理が行われる。そのため、検索頻度の高いキーワードに対応する画像データも、検索頻度の低いキーワードに対応する画像データも区別することなく、登録処理要求の入力順に画像データの登録処理が行われるので、検索頻度の高いキーワードに対応し、閲覧される可能性が高い画像データの登録処理が遅れてしまうおそれがあるという問題がある。
【０００６】
本発明の目的は、閲覧される可能性の高い画像データの登録処理を優先的に行うことができる画像管理サーバー、画像管理サーバーの制御方法およびプログラムを提供することにある。
【課題を解決するための手段】
【０００７】
上記目的を達成するために本発明の画像管理サーバーは、
ネットワークを介してユーザ端末に配信する画像データと判定用キーワードとを記憶する記憶部と、
前記画像データの前記記憶部への登録処理を行う登録部と、
画像データおよび該画像データの登録処理要求を受け付けると、前記登録を要求された画像データに関連するキーワードを抽出し、該抽出したキーワードが前記判定用キーワードとして前記記憶部に記憶されていない場合には、前記登録部に、前記画像データの登録処理を保留させる制御部と、を有する。
【０００８】
上記目的を達成するために本発明の画像管理サーバーの制御方法は、
記憶部を有する画像管理サーバーの制御方法であって、
判定用キーワードを前記記憶部に記憶させ、
ネットワークを介して前記ユーザ端末に配信する画像データの前記記憶部への登録処理を行い、
画像データおよび該画像データの登録処理要求を受け付けると、前記登録を要求された画像データに関連するキーワードを抽出し、該抽出したキーワードを前記判定用キーワードとして記憶していない場合には、前記画像データの登録処理を保留する。
【０００９】
上記目的を達成するために本発明のプログラムは、
記憶部を有する画像管理サーバー内のコンピュータに、
判定用キーワードを前記記憶部に記憶させる第１の記憶処理と、
ネットワークを介して前記ユーザ端末に配信する画像データの前記記憶部への登録処理と、
画像データおよび該画像データの登録処理要求を受け付けると、前記登録を要求された画像データに関連するキーワードを抽出し、該抽出したキーワードを前記判定用キーワードとして記憶していない場合には、前記画像データの登録処理を保留する保留処理と、を実行させる。
【発明の効果】
【００１０】
本発明によれば、閲覧される可能性の高い画像データの登録処理を優先的に行うことができる。
【図面の簡単な説明】
【００１１】
【図１】本発明の第１の実施形態の画像管理サーバーの要部構成を示すブロック図である。
【図２】本発明の第２の実施形態の画像管理サーバーが適用される画像管理システムの構成を示す図である。
【図３】図２に示す画像管理サーバーの要部構成を示すブロック図である。
【図４】図３に示す制御部の記憶部に判定用キーワードを記憶させる際の動作を示すフローチャートである。
【図５】図３に示す制御部の画像データの登録処理時の動作を示すフローチャートである。
【図６】図３に示す制御部の画像データの登録処理時の他の動作を示すフローチャートである。
【発明を実施するための形態】
【００１２】
以下に、本発明を実施するための形態について図面を参照して説明する。
【００１３】
（第１の実施形態）
図１は、本発明の第１の実施形態の画像管理サーバー１０の要部構成を示すブロック図である。本実施形態の画像管理サーバー１０は、外部から入力された画像データの登録処理を行い、ユーザ端末からキーワードを指定した検索要求が入力されると、そのキーワードに対応する画像データをユーザ端末に配信する。なお、図１に示す各ブロックは特定のハードウエアまたはソフトウエアを指すとは限らず、また、特定の機能を有する概念的なブロックを指すこともある。また、図１においては、主に、画像データの登録処理を行うための処理ブロックを記載し、画像データを配信するための処理ブロックについては記載を省略する。
【００１４】
画像管理サーバー１０は、登録部１１と、記憶部１２と、制御部１３と、を有する。
【００１５】
登録部１１は、記憶部１２への画像データの登録処理を行う。
【００１６】
記憶部１２は、ネットワークを介してユーザ端末に配信する画像データと、画像データの登録処理を保留するか否かの判定を行うための判定用キーワードと、を記憶する。なお、記憶部１２は、検索要求において指定されたキーワード毎に、そのキーワードが指定された指定回数を記憶し、指定回数に応じた順位が上位Ｎ（Ｎは１以上の整数）位以内のキーワードを、画像データの登録処理を保留するか否かを判定するための判定用キーワードとして記憶する。また、記憶部１２は、画像管理サーバー１０に検索要求が入力されると、その検索要求において指定されたキーワードについて、そのキーワードの指定回数を更新する。
【００１７】
制御部１３は、ネットワークを介してユーザ端末から画像データおよびその画像データの登録処理要求を受け付けると、その画像データの登録処理を登録部１１に行わせる。
【００１８】
以下、制御部１３の動作について詳細に説明する。
【００１９】
制御部１３は、画像データおよびその画像データの登録処理要求を受け付けると、その画像データに関連するキーワードを抽出する。画像データの登録処理要求時にユーザが画像データに関連するキーワードを入力した場合には、制御部１３は、その入力されたキーワードを抽出する。また、制御部１３が、画像データの画像フレームを解析し、その解析結果に基づいて、キーワードを抽出するようにしてもよい。なお、画像フレームを解析し、その解析結果に基づいてキーワードを抽出する方法としては種々のものが知られおり、また、本発明と直接関係しないので詳細な説明を省略する。
【００２０】
制御部１３は、画像データに関連するキーワードを抽出すると、その抽出したキーワードが判定用キーワードとして記憶部１２に記憶されているか否かを判定する。抽出したキーワードが判定用キーワードとして記憶部１２に記憶されている場合には、制御部１３は、その画像データの登録処理を登録部１１に行わせる。抽出したキーワードが判定用キーワードとして記憶部１２に記憶されていない場合には、制御部１３は、登録部１１に、その画像データの登録処理を保留させる。また、制御部１３は、登録処理要求が、登録処理を保留した画像データの登録処理要求のみとなったとき、あるいは、登録処理を保留した後、所定時間が経過したときに、登録部１１に、その画像データの登録処理を行わせる。なお、制御部１３は、新規の画像データの登録処理要求の有無を判定し、新規の画像データの登録処理要求がなく、登録処理を保留した画像データがある場合に、登録処理を保留した画像データの登録処理要求のみとなったと判定し、その登録処理を保留した画像データの登録処理を登録部１１に行わせる。
【００２１】
このように本実施形態によれば、画像管理サーバー１０は、判定用キーワードを記憶し、画像データの登録処理を要求する登録処理要求が入力されると、その画像データに関連するキーワードを抽出し、抽出したキーワードを判定用キーワードとして記憶していない場合には、画像データの登録処理を保留する。
【００２２】
上述したように、判定用キーワードとしては、指定回数に応じた順位が上位のキーワードが記憶される。そのため、登録処理要求された画像データから抽出したキーワードが判定用キーワードとして記憶されていない場合には、画像データの登録処理を保留することで、検索要求において指定された回数が多いキーワードに対応し、閲覧される可能性の高い画像データの登録処理を優先的に行うことができる。
【００２３】
（第２の実施形態）
図２は、本発明の第２の実施形態の画像管理サーバーが適用される画像管理システム２０の構成を示す図である。
【００２４】
図２に示す画像管理システム２０は、ネットワーク２１を介して接続された提供者端末装置２２と、検索端末装置２３と、画像管理サーバー３０と、を有する。
【００２５】
提供者端末装置２２は、ネットワーク２１を介して、画像データの登録処理要求を画像管理サーバー３０に入力する手段を有する。
【００２６】
検索端末装置２３は、ネットワーク２１を介して、画像管理サーバー３０に記憶されている画像データを検索するためのキーワードを指定した検索要求を画像管理サーバー３０に入力する手段を有する。また、検索端末装置２３は、検索要求に応じて画像管理サーバー３０から配信された画像データに示される画像をユーザに閲覧させる手段を有する。
【００２７】
なお、提供者端末装置２２および検索端末装置２３はそれぞれ、ネットワーク２１に接続可能な携帯端末、スマートフォン、パーソナルコンピュータ、ＰＤＡ（Personal Digital Assistant）、携帯型ゲーム機などのユーザ端末である。また、図２においては、提供者端末装置２２と検索端末装置２３とを分けて記載したが、１つの端末が、登録処理要求を画像管理サーバー３０に入力する手段、検索要求を画像管理サーバー３０に入力する手段、および、画像管理サーバー３０から配信された画像データに示される画像をユーザに閲覧させる手段を有していてもよい。
【００２８】
画像管理サーバー３０は、提供者端末装置２２から画像データおよびその画像データの登録処理要求を受け付けると、その画像データの登録処理を行う。また、画像管理サーバー３０は、検索端末装置２３からキーワードを指定した検索要求が入力されると、そのキーワードに対応する画像データを検索し、検索された画像データを検索端末装置２３に配信する。
【００２９】
次に、画像管理サーバー３０の構成について説明する。なお、提供者端末装置２２および検索端末装置２３の構成は、当業者にとってよく知られており、また、本発明と直接関係しないため、詳細な説明を省略する。
【００３０】
図３は、画像管理サーバー３０の要部構成を示すブロック図である。
【００３１】
図３に示す画像管理サーバー３０は、通信部３１と、登録部３２と、フレーム処理部３３と、検索用データ生成部３４と、検索用データ記憶部３５と、制御データ記憶部３６と、全体制御部（Central Processing Unit）３７と、を有する。検索用データ生成部３４と全体制御部３７とは、制御部を構成する。また、検索用データ記憶部３５と制御データ記憶部３６とは、記憶部を構成する。また、図３に示す各ブロックは特定のハードウエアまたはソフトウエアを指すとは限らず、また、特定の機能を有する概念的なブロックを指すこともある。
【００３２】
通信部３１は、ネットワーク２１を介して提供者端末装置２２および検索端末装置２３と通信を行う。
【００３３】
登録部３２は、提供者端末装置２２からネットワーク２１を経由し、通信部３１を介して、画像データの登録処理要求が入力されると、全体制御部３７の制御に従い、その画像データを検索用データ記憶部３５に登録する登録処理を行う。なお、本実施形態においては、提供者端末装置２２からネットワーク２１を経由して画像データが入力される例を用いて説明するが、これに限られるものではない。例えば、画像管理サーバー３０の管理者が、記憶媒体などに記憶された画像データを画像管理サーバー３０に入力してもよい。
【００３４】
フレーム処理部３３は、画像データのフレーム画像を取得する。
【００３５】
検索用データ生成部３４は、フレーム処理部３３が取得した画像データのフレーム画像に基づいて、その画像データに関連するキーワードを抽出する。
【００３６】
検索用データ記憶部３５は、登録処理が行われた画像データと、検索用データ生成部３４が抽出したその画像データに関連するキーワードと、を対応付けて記憶する。
【００３７】
制御データ記憶部３６は、情報処理装置３０の動作制御に必要な種々のデータを記憶する。具体的には、制御データ記憶部３６は、登録処理を保留するか否かを判定するための判定用キーワードを記憶する。なお、制御データ記憶部３６は、画像管理サーバー３０に検索要求が入力されると、検索要求において指定されたキーワード毎に、指定回数を記憶し、指定回数に応じた順位が上位Ｎ位以内（例えば、上位１００位以内）のキーワードを判定用キーワードとして記憶する。
【００３８】
また、制御データ記憶部３６は、登録処理要求がされた画像データを一時的に記憶する。また、制御データ記憶部３６は、全体制御部３７が種々の演算処理や制御処理を行うのに必要なプログラム、また、全体制御部３７の処理結果を記憶する。
【００３９】
全体制御部３７は、制御データ記憶部３６に記憶されているプログラムに従い、上述した各部を制御する。具体的には、例えば、全体制御部３７は、提供者端末装置２２から画像データの登録処理要求が入力されると、その画像データの登録処理を登録部３２に行わせる。また、全体制御部３７は、検索端末装置２３からキーワードを指定した検索要求が入力されると、検索用データ記憶部３５に記憶されている、そのキーワードに対応する画像データを検索し、検索された画像データを通信部３１を介して検索端末装置２３に配信する。
【００４０】
次に、本実施形態の画像管理サーバー３０の動作について、全体制御部３７の動作を中心に説明する。
【００４１】
図４は、判定用キーワードを制御データ記憶部３６に記憶させる際の全体制御部３７の動作を示すフローチャートである。
【００４２】
全体制御部３７は、検索端末装置２３からネットワーク２１を介したアクセスの有無（検索要求の入力の有無）を判定する（ステップＳ４１）。
【００４３】
検索端末装置２３からアクセスがない場合には（ステップＳ４１：Ｎｏ）、全体制御部３７は、ステップＳ４１の処理を繰り返す。
【００４４】
検索端末装置２３からアクセス（検索要求の入力）がある場合には（ステップＳ４１：Ｙｅｓ）、全体制御部３７は、制御データ記憶部３６に記憶されている、入力された検索要求において指定されたキーワードの指定回数を更新し、制御データ記憶部３６に記憶されているキーワード毎の指定回数を示すキーワード情報を取得する（ステップＳ４２）。
【００４５】
次に、全体制御部３７は、取得したキーワード情報に示されるキーワード毎の指定回数に応じた順位が上位Ｎ位以内のキーワードを判定用キーワードとして制御データ記憶部３６に記憶させる（ステップＳ４３）。ここで、全体制御部３７は、判定用キーワードが制御データ記憶部３６に既に記憶されている場合には、既に記憶されている判定用キーワードを消去させ、最新の判定用キーワードに更新する。
【００４６】
次に、画像データの登録処理時の全体制御部３７の動作について、図５に示すフローチャートを参照して説明する。
【００４７】
まず、全体制御部３７は、画像データの登録処理要求が入力されたか否かを判定する（ステップＳ５１）。
【００４８】
画像データの登録処理要求が入力された場合には（ステップＳ５１：Ｙｅｓ）、全体制御部３７は、その画像データを制御データ記憶部３６に記憶させるとともに、フレーム処理部３３にその画像データのフレーム画像を取得させる。さらに、全体制御部３７は、検索用データ生成部３４に、そのフレーム画像に基づいて、その画像データに関連するキーワードを抽出させる。さらに、全体制御部３７は、抽出されたキーワードが判定用キーワードとして制御データ記憶部３６に記憶されているか否かを判定する（ステップＳ５２）。
【００４９】
抽出されたキーワードが判定用キーワードとして記憶されている場合には（ステップＳ５２：Ｙｅｓ）、全体制御部３７は、登録処理要求された画像データの登録処理を登録部３２に行わせる（ステップＳ５３）。また、全体制御部３７は、その画像データと抽出されたキーワードとを検索用データ記憶部３５に記憶させる。また、全体制御部３７は、制御データ記憶部３６に、一時的に記憶しているその画像データを削除させる。その後、全体制御部３７は、処理を終了する。
【００５０】
抽出されたキーワードが判定用キーワードとして記憶されていない場合には（ステップＳ５２：Ｎｏ）、全体制御部３７は、登録処理要求された画像データの登録処理を登録部３２に保留させる（ステップＳ５４）。その後、全体制御部３７は、処理を終了する。
【００５１】
一方、画像データの登録処理要求が入力されていない場合には（ステップＳ５１：Ｎｏ）、全体制御部３７は、登録処理を保留した画像データがあるか否かを判定する（ステップＳ５５）。具体的には、全体制御部３７は、制御データ記憶部３６に登録処理要求された画像データが記憶されているか否かを判定する。
【００５２】
登録処理を保留した画像データがない場合には（ステップＳ５５：Ｎｏ）、全体制御部３７は、処理を終了する。
【００５３】
登録処理を保留した画像データがある場合には（ステップＳ５５：Ｙｅｓ）、全体制御部３７は、その画像データの登録処理を登録部３２に行わせる（ステップＳ５６）。また、全体制御部３７は、その画像データと抽出されたキーワードとを対応させて検索用データ記憶部３５に記憶させる。その後、全体制御部３７は、処理を終了する。
【００５４】
このように本実施形態によれば、画像管理サーバー３０は、判定用キーワードを記憶し、画像データの登録処理要求が入力されると、その画像データに関連するキーワードを抽出し、抽出したキーワードを判定用キーワードとして記憶していない場合には、画像データの登録処理を保留する。
【００５５】
上述したように、判定用キーワードとしては、指定回数に応じた順位が上位のキーワードが記憶される。そのため、抽出した画像データに関連するキーワードが判定用キーワードとして記憶されていない場合には、その画像データの登録処理を保留することで、検索頻度の高いキーワードに対応し、閲覧される可能性の高い画像データの登録処理を優先的に行うことができる。
【００５６】
なお、本実施形態においては、登録処理要求が、登録処理を保留した画像データの登録処理要求のみになったときに、登録処理を保留した画像データの登録処理を行う例を用いて説明したが、これに限られるものではなく、例えば、登録処理を保留した後、所定時間が経過したときに、登録処理を保留した画像データの登録処理を行うようにしてもよい。
【００５７】
また、本実施形態においては、登録処理を保留するか否かの判定を行うキーワードの数は一定である例を説明したが、これに限られるものではない。図６は、画像データの登録処理要求の入力時の他の動作を示すフローチャートである。なお、図６において、図５と同様の処理については同じ符号を付し、説明を省略する。
【００５８】
画像データの登録処理要求が入力された場合には（ステップＳ５１：Ｙｅｓ）、全体制御部３７は、短時間に多数の登録処理要求が入力されるなどして、未処理の登録処理要求数が所定値以上となっている否かを判定する（ステップＳ６１）。
【００５９】
未処理の登録処理要求数が所定数未満である場合には（ステップＳ６１：Ｎｏ）、全体制御部３７は、ステップＳ５２の処理に進む。すなわち、全体制御部３７は、登録処理要求された画像データから抽出されたキーワードが判定用キーワードとして記憶されているか否かの判定を行う。
【００６０】
一方、未処理の登録処理要求数が所定数以上である場合には（ステップＳ６１：Ｙｅｓ）、全体制御部３７は、登録処理要求された画像データから抽出されたキーワードが、判定用データとして記憶されており、かつ、抽出されたキーワードの指定回数に応じた順位が、判定用キーワードとして記憶されているキーワードのうち、上位Ｍ（Ｍ＜Ｎ）位（例えば、１０位）以内であるか否かを判定する（ステップＳ６２）。
【００６１】
登録処理要求された画像データから抽出されたキーワードが、判定用データとして記憶されており、かつ、抽出されたキーワードの指定回数に応じた順位が、判定用キーワードとして記憶されているキーワード内で、上位Ｍ以内である場合には（ステップＳ６２：Ｙｅｓ）、全体制御部３７は、ステップＳ５３の処理に進む。すなわち、全体制御部３７は、その画像データの登録処理を登録部３２に行わせる。
【００６２】
登録処理要求された画像データから抽出されたキーワードが、判定用データとして記憶されていない、あるいは、抽出されたキーワードが、判定用データとして記憶されているが、抽出されたキーワードの指定回数に応じた順位が、判定用キーワードとして記憶されているキーワードのうち、上位Ｍ未満である場合には（ステップＳ６２：Ｎｏ）、全体制御部３７は、ステップＳ５４の処理に進む。すなわち、全体制御部３７は、その画像データの登録処理を登録部３２に保留させる。
【００６３】
未処理の登録処理要求数が所定数以上である場合には、多くの登録処理要求が入力されていることが考えられる。このような場合にも、登録処理要求が少ない場合と同じ条件で登録処理を行うか否かの判定を行うと、登録処理が行われる画像データが多くなり、結果的に、より閲覧される可能性の高い画像データの登録処理が遅れてしまう可能性がある。そこで、未処理の登録処理要求数が所定数以上である場合には、保留処理を行わないと判定するキーワードの数を制限することで、より閲覧される可能性の高い画像データの登録処理を優先的に行うことができる。
【００６４】
なお、上述した第１および第２の実施形態においては、指定回数に応じた順位が上位のキーワードが判定用キーワードとして用いられる例を説明したが、これに限られるものではない。例えば、画像管理サーバーの管理者が設定したキーワードを判定用キーワードとして用いてもよい。
【００６５】
また、本実施形態においては、フレーム処理部３３が取得した画像データのフレーム画像に基づいて、その画像データに関連するキーワードを抽出する例を用いて説明したが、これに限られるものではなく、画像データに示される画像が動画像である場合には、複数の画像フレームの組み合わせ、すなわち、その動画像の全体または一部に基づいて、その画像データに関連するキーワードを抽出するようにしてもよい。
【００６６】
なお、本発明の画像管理サーバーにて行われる方法は、コンピュータに実行させるためのプログラムに適用してもよい。また、そのプログラムを記憶媒体に格納することも可能であり、ネットワークを介して外部に提供することも可能である。
【００６７】
上記の実施形態の一部または全部は、以下の付記のようにも記載されうるが、以下には限られない。
【００６８】
（付記１）
ネットワークを介してユーザ端末に配信する画像データと判定用キーワードとを記憶する記憶部と、
前記画像データの前記記憶部への登録処理を行う登録部と、
画像データおよび該画像データの登録処理要求を受け付けると、前記登録を要求された画像データに関連するキーワードを抽出し、該抽出したキーワードが前記判定用キーワードとして前記記憶部に記憶されていない場合には、前記登録部に、前記画像データの登録処理を保留させる制御部と、を有することを特徴とする画像管理サーバー。
【００６９】
（付記２）
付記１記載の画像管理サーバーにおいて、
前記制御部は、前記登録処理要求が、前記登録処理を保留した画像データの登録処理要求のみとなったときに、前記登録部に、前記登録処理を保留した画像データの登録処理を行わせることを特徴とする画像管理サーバー。
【００７０】
（付記３）
付記１または２記載の画像管理サーバーにおいて、
前記記憶部は、前記登録処理された画像データと該画像データに関連するキーワードとを対応付けて記憶し、
前記制御部は、前記ユーザ端末からキーワードを指定した検索要求が入力されると、該入力されたキーワードに対応して前記記憶部に記憶されている画像データを前記ユーザ端末に配信することを特徴とする画像管理サーバー。
【００７１】
（付記４）
付記３記載の画像管理サーバーにおいて、
前記記憶部は、前記検索要求において指定されたキーワード毎に、前記キーワードの指定回数を記憶し、該指定回数に応じた順位が上位Ｎ位以内のキーワードを前記判定用キーワードとして記憶することを特徴とする画像管理サーバー。
【００７２】
（付記５）
付記４記載の画像管理サーバーにおいて、
前記制御部は、前記登録処理要求の数が所定値以上となると、前記登録処理要求された画像データに関連するキーワードが前記判定用キーワードとして前記記憶部に記憶されており、かつ、前記キーワードの前記指定回数に応じた順位が、前記判定用キーワード内で、上位Ｍ（Ｍ＜Ｎ）位以内にある場合に、前記登録部に前記画像データの登録処理を行わせることを特徴とする画像管理サーバー。
【００７３】
（付記６）
記憶部を有する画像管理サーバーの制御方法であって、
判定用キーワードを前記記憶部に記憶させ、
ネットワークを介して前記ユーザ端末に配信する画像データの前記記憶部への登録処理を行い、
画像データおよび該画像データの登録処理要求を受け付けると、前記登録を要求された画像データに関連するキーワードを抽出し、該抽出したキーワードを前記判定用キーワードとして記憶していない場合には、前記画像データの登録処理を保留することを特徴とする画像管理サーバーの制御方法。
【００７４】
（付記７）
付記６記載の画像管理サーバーの制御方法において、
前記登録処理要求が、前記登録処理を保留した画像データの登録処理要求のみとなったときに、前記登録処理を保留した画像データの登録処理を行うことを特徴とする画像管理サーバーの制御方法。
【００７５】
（付記８）
付記６または７記載の画像管理サーバーの制御方法において、
前記登録処理された画像データに対応付けて、該画像データに関連するキーワードを前記記憶部に記憶させ、
前記ユーザ端末からキーワードを指定した検索要求が入力されると、該入力されたキーワードに対応して前記記憶されている画像データを前記ユーザ端末に配信することを特徴とする画像管理サーバーの制御方法。
【００７６】
（付記９）
付記８記載の画像管理サーバーの制御方法において、
前記検索要求において指定されたキーワード毎に、前記キーワードの指定回数を記憶し、該指定回数に応じた順位が上位Ｎ位以内のキーワードを前記判定用キーワードとして前記記憶部に記憶させることを特徴とする画像管理サーバーの制御方法。
【００７７】
（付記１０）
付記９記載の画像管理サーバーの制御方法において、
前記登録処理要求の数が所定値以上となると、前記登録処理要求された画像データに関連するキーワードが前記判定用キーワードとして記憶されており、かつ、前記キーワードの前記指定回数に応じた順位が、前記判定用キーワード内で、上位Ｍ（Ｍ＜Ｎ）位以内にある場合に、前記画像データの登録処理を行うことを特徴とする画像管理サーバーの制御方法。
【００７８】
（付記１１）
記憶部を有する画像管理サーバー内のコンピュータに、
判定用キーワードを前記記憶部に記憶させる第１の記憶処理と、
ネットワークを介して前記ユーザ端末に配信する画像データの前記記憶部への登録処理と、
画像データおよび該画像データの登録処理要求を受け付けると、前記登録を要求された画像データに関連するキーワードを抽出し、該抽出したキーワードを前記判定用キーワードとして記憶していない場合には、前記画像データの登録処理を保留する保留処理と、を実行させるプログラム。
【００７９】
（付記１２）
付記１１記載のプログラムにおいて、
前記登録処理要求が、前記登録処理を保留した画像データの登録処理要求のみとなったときに、前記登録処理を保留した画像データの登録処理を行わせることを特徴とするプログラム。
【００８０】
（付記１３）
付記１１または１２記載のプログラムにおいて、
前記登録処理された画像データに対応付けて、該画像データに関連するキーワードを前記記憶部に記憶させる第２の記憶処理と、
前記ユーザ端末からキーワードを指定した検索要求が入力されると、該入力されたキーワードに対応して前記記憶されている画像データを前記ユーザ端末に配信する配信処理と、を実行させるプログラム。
【００８１】
（付記１４）
付記１３記載のプログラムにおいて、
前記第１の記憶処理では、前記検索要求において指定されたキーワード毎に、前記キーワードの指定回数を記憶し、該指定回数に応じた順位が上位Ｎ位以内のキーワードを前記判定用キーワードとして前記記憶部に記憶させることを特徴とするプログラム。
【００８２】
（付記１５）
付記１４記載のプログラムにおいて、
前記登録処理要求の数が所定値以上となると、前記登録処理要求された画像データに関連するキーワードが前記判定用キーワードとして記憶されており、かつ、前記キーワードの前記指定回数に応じた順位が、前記判定用キーワード内で、上位Ｍ（Ｍ＜Ｎ）位以内にある場合に、前記画像データの登録処理を行わせることを特徴とするプログラム。
【符号の説明】
【００８３】
１０，３０    画像管理サーバー
１１    登録部
１２    記憶部
１３    制御部
２０    画像管理システム
２１    ネットワーク
２２    提供者端末
２３    検索端末
３１    通信部
３２    登録部
３３    フレーム処理部
３４    検索用データ生成部
３５    検索用データ記憶部
３６    制御データ記憶部
３７    全体制御部
【図１】
2013250917.tif 000003
【図２】
2013250917.tif 000004
【図３】
2013250917.tif 000005
【図４】
2013250917.tif 000006
【図５】
2013250917.tif 000007
【図６】
2013250917.tif 000008